(57)【特許請求の範囲】
【請求項１】
少なくとも一つの球体を収容するための収容空間を有する収集コンポーネントと、
前記収集コンポーネントと枢支接続し、前記収集コンポーネントの回転軸と夾角をなし、かつ夾角の角度は90度より小さい又は90度に等しい集球モジュールと、
前記収集コンポーネントの片側に設置される接続ユニット、及び一端が前記接続ユニットに接続され、他端が選択的に平面に支えられるストッパーモジュールを含むストッパー接続モジュールと、
前記接続ユニットに接続される制御モジュールと、
を備えるボール収集装置であって、
前記収集コンポーネントが回転することを利用し少なくとも一つの球体を前記収容空間に収集することができ、前記制御モジュールを通じて集球方向を決定することができ、
前記ボール収集装置が球類を収集する際に、前記集球モジュールと平面は不変距離を保ち、
前記ストッパーモジュールの他端が平面に支えられる状態では、前記制御モジュールは上方に延びており、
前記ストッパーモジュールの他端が平面に支えられる状態から前記制御モジュールを傾けることで、前記ストッパーモジュールの他端を平面から離させることが可能であることを特徴とする、ボール収集装置。
【請求項２】
前記収集コンポーネントが、
少なくとも一つの桿体と、
前記桿体の両端に設けられる第一カバー及び第二カバーと、
前記第一カバー及び前記第二カバーの間に一定間隔で前記桿体上に設置される環状体、
とを含む請求項１に記載のボール収集装置。
【請求項３】
前記集球モジュールの数が二つであり、前記集球モジュールは前記収集コンポーネントの相対する両側にそれぞれ枢支接続する請求項１に記載のボール収集装置。
【請求項４】
前記集球モジュールが、
前記ストッパーモジュールに取外し可能な形で枢支接続する第一集球ユニットと、
前記第一集球ユニットに枢支接続する第二集球ユニット、
とを含み、
前記第一集球ユニットは前記回転軸に対し垂直であり、前記第二集球ユニットは前記回転軸と夾角をなす請求項３に記載のボール収集装置。
【請求項５】
前記第一集球ユニットはベアリングにより前記ストッパーモジュールに枢支接続し、前記第二集球ユニットはベアリングにより前記第一集球ユニットに枢支接続する請求項４に記載のボール収集装置。
【請求項６】
前記第二集球ユニットの両端に複数のローラーが設置され、ボール収集装置が球類を収集する際に、前記不変距離がローラーの半径である請求項４に記載のボール収集装置。
【請求項７】
前記第一カバーと前記第二カバー及び/又は前記環状体は少なくとも一つの刳り抜き部を含み、前記刳り抜き部の直径は、少なくとも一つの球体が通過できるよう球体の直径に基づき調整された、請求項２に記載のボール収集装置。
【請求項８】
前記第一カバー、前記第二カバー及び前記環状体の両側周縁に緩衝材が設けられ、前記緩衝材は前記回転軸に対し平行方向である、請求項２に記載のボール収集装置。
【発明の詳細な説明】
【技術分野】
【０００１】
本発明は、ボール収集装置に関し、特に集球モジュールを備えるボール収集装置に関するものである。
【背景技術】
【０００２】
生活水準の向上及び健康への重視の高まりに伴い、各種の球技、例えばゴルフ、テニス、卓球、野球等は現代人の主要な余暇活動の一つとなっている。しかし、こうした球技においては、試合中であれ練習中や練習後であれ、球をかごやボール収納バケツに収納するために球場に散在した球を拾い集めなければならない。球技を行う者は球技そのものへの集中だけでなく、多大な体力、時間及び精神力を用いて球拾いを行う必要があるため、球拾いは球技を行う者の練習効率に影響を与え、度重なる球拾いにより筋肉痛等の傷害を引き起こす恐れさえもある。
【発明の概要】
【発明が解決しようとする課題】
【０００３】
現在、集球具の回転により集球を行う先行技術は存在する。ところが、こうした集球具の集球範囲は集球具の大きさの制限を受け特定範囲の球しか収集できず、使用者は何度も集球具を回転させなければ全ての球を収集することができず、時間がかかり体力も耗する。
【課題を解決するための手段】
【０００４】
本発明は上述のような問題点に鑑みてなされたものであって、集球モジュールを備えるボール収集装置を提供し、集球具の大きさの制限を受けるため効率的に集球ができないという課題の解決を目的とする。
【０００５】
前記目的を達成するために、本発明は以下の手段を提供する。
【０００６】
本発明の集球モジュールを備えるボール収集装置は、収集コンポーネントと集球モジュールを備える。収集コンポーネントは少なくとも一つの球体を収容するための収容空間を有し、収集コンポーネントが回転することを利用し少なくとも一つの球体を上記収容空間に収集することができる。集球モジュールは収集コンポーネントと枢支接続し、収集コンポーネントの回転軸と夾角をなし、かつ夾角の角度は90度より小さい又は90度に等しい。ボール収集装置が球類を収集する際に、集球モジュールと平面は不変距離を保つ。
【０００７】
上記収集コンポーネントは、少なくとも一つの桿体と、上記桿体の両端に設けられる第一カバー及び第二カバーと、上記第一カバー及び上記第二カバーの間に一定間隔で上記桿体上に設置される環状体とを含み、これら第一カバー及び第二カバーと環状体は上記収容空間を構成する。
【０００８】
本発明の集球モジュールを備えるボール収集装置は、収集コンポーネントの片側に設置される接続ユニットと、一端が上記接続ユニットに接続され、他端が選択的に平面に支えられるストッパーモジュール、とを含むストッパー接続モジュールを更に含む。加えて、本発明の集球モジュールを備えるボール収集装置は、接続ユニットに接続される制御モジュールを更に含む。
【０００９】
集球モジュールの数は二つであり、集球モジュールは収集コンポーネントの相対する両側にそれぞれ枢支接続する。
【００１０】
集球モジュールが、ストッパーモジュールに取外し可能な形で枢支接続する第一集球ユニットと、第一集球ユニットに枢支接続する第二集球ユニット、とを含み、上記第一集球ユニットは上記回転軸に対し垂直であり、上記第二集球ユニットは上記回転軸と夾角をなす。
【００１１】
上記第一集球ユニットはベアリングによりストッパーモジュールに枢支接続し、上記第二集球ユニットはベアリングにより第一集球ユニットに枢支接続する。
【００１２】
本発明の集球モジュールを備えるボール収集装置は、第二集球ユニットの両端に複数のローラーが設置され、ボール収集装置が球類を収集する際に、不変距離はローラーの半径となる。
【００１３】
第一カバーと第二カバー及び/又は環状体は刳り抜き部を含み、上記刳り抜き部の直径は、少なくとも一つの球体が通過できるよう球体の直径に基づき調整される。
【００１４】
第一カバー、第二カバー及び環状体の両側周縁に緩衝材が設けられ、上記緩衝材は収集コンポーネントの回転軸に対し平行方向である。
【発明の効果】
【００１５】
本発明の集球モジュールを備えるボール収集装置では以下に述べる効果を有する。
【００１６】
〔１〕本発明の集球モジュールを備えるボール収集装置では側面に集球モジュールを備えるため、集球モジュールを有しない公知の集球具のように収集部品の大きさの制限を受けることはなく、集球モジュールを用いることで集球範囲を広げることができ、集球効率を向上させることが可能となる。
【００１７】
〔２〕本発明の集球モジュールを備えるボール収集装置では、集球モジュールと平面は不変距離を保つことができるため、球が集球モジュールと平面の隙間から落ちてしまうことはない。
【００１８】
〔３〕本発明の集球モジュールを備えるボール収集装置では、第一カバーと第二カバー及び/又は環状体に設けられた刳り抜き部の直径を調整することで、球体が刳り抜き部を通過できるようになり、球体の移動又は球の取り出しの利便性が高まる。
【００１９】
〔４〕本発明の集球モジュールを備えるボール収集装置では、第一カバー、第二カバー及び環状体の両側周縁に緩衝材が設けられているため、球体が収集コンポーネントの収容空間に入りやすくなり、かつ球体が収集コンポーネントからこぼれにくくなる。
【図面の簡単な説明】
【００２０】
【図１】本発明の集球モジュールを備えるボール収集装置の第一実施例の立体概略図である。
【図２】図１中の区域Ａの拡大図である。
【図３】本発明の集球モジュールを備えるボール収集装置の第一実施例の上面図である。
【図４】図３中の区域Ｂの拡大図である。
【図５】本発明の集球モジュールを備えるボール収集装置の第一実施例の側面図である。
【図６】本発明の集球モジュールを備えるボール収集装置を使用する際の概略図である。
【図７】本発明の集球モジュールを備えるボール収集装置の第二実施例の側面図である。
【発明を実施するための形態】
【００２１】
本発明の技術特徴及び効果についてより詳しく理解できるよう、以下に図を参照しながら好ましい実施例を詳細な説明と交えつつ述べる。
【００２２】
図１は本発明の集球モジュールを備えるボール収集装置の第一実施例の立体概略図、図２は図１中の区域Ａの拡大図、図３は本発明の集球モジュールを備えるボール収集装置の第一実施例の上面図、図４は図３中の区域Ｂの拡大図である。
【００２３】
図１から図３に示すように、本発明の集球モジュールを備えるボール収集装置は、収集コンポーネント１０及び集球モジュール２０を含む。収集コンポーネント１０は、少なくとも一つの球体を収容するための収容空間を有し、収集コンポーネントが回転することを利用し少なくとも一つの球体を上記収容空間に収集することができる。例を挙げて説明すると、本発明では収集コンポーネント１０が少なくとも一つの桿体１１、第一カバー１２、第二カバー１３及び少なくとも一つの環状体１４を含むことができ、第一カバー１２及び第二カバー１３は桿体１１の両端にそれぞれ設けられ、環状体１４は第一カバー１２及び上記第二カバー１３の間に一定間隔で上記桿体１１上に設置され、これら第一カバー１２及び第二カバー１３と環状体は少なくとも一つの球体を収容可能な収容空間を構成する。上記の収集コンポーネント１０の構造はあくまで例にとどまり、これに限らない。集球モジュール２０は収集コンポーネント１０と枢支接続し、収集コンポーネント１０の回転軸Ｘと夾角θをなし、ボール収集装置の集球範囲が広くなる。夾角θの角度は例えば90度より小さい又は90度に等しい。従って、集球モジュールを有しない公知の集球具と比べると、本発明は収集コンポーネント１０の大きさの制限を受けず、集球モジュール２０により集球範囲が広がり、集球効率が向上する。また、集球モジュール２０は取外し可能な構造とすることができ、ボール収集装置の収納体積を減少させることができる。さらに、環状体１４は桿体１１上に一定間隔で球８０の直径に合わせて設置されるため、使用者は球８０の直径に合わせて適切なボール収集装置を選択することができる。本明細書において桿体１１の数は三つ（図３参照）であるが、実際はこれに限らない。
【００２４】
本発明のボール収集装置が球類を収集する際に、集球モジュール２０と平面Ｐは不変距離を保ち（後ほど図６を用いて説明する）、この不変距離は球８０の直径より小さいため、球８０が集球モジュール２０と平面Ｐの隙間から落ちてしまうことはない。本明細書において、平面Ｐは即ち地面である。
【００２５】
第一カバー１２、第二カバー１３及び/又は環状体１４は更に少なくとも一つの刳り抜き部１５を含み、刳り抜き部１５の直径は球８０が刳り抜き部１５を通過できるよう球体の直径に基づき調整することができる。また、収集コンポーネント１０の第一カバー１２、第二カバー１３及び環状体１４はそれぞれ二層構造を成す。例を挙げると、この二重構造は同一数量及び同一位置の刳り抜き部１５を有する環状板が重なって一つになっており（図には示していない）、環状板を回転させることで刳り抜き部１５が相互に錯開しクローズ状態を成し、又は相互にオープン状態を成す。刳り抜き部１５がオープン状態でありかつ刳り抜き部１５の穴の大きさが球８０の直径より大きいとき、使用者は刳り抜き部１５から球８０を取り出すことができる。刳り抜き部１５がクローズ状態であり又は刳り抜き部１５の穴の大きさが球８０の直径より小さいとき、使用者は刳り抜き部１５から球８０を取り出すことができない。そして、刳り抜き部１５はカメラのシャッター又は遮板等の構造の調整装置を利用し刳り抜き部１５の大きさを調整することができる。さらに、使用者は集球したい球体の直径に基づき刳り抜き部１５の穴の大きさを決めることができる。
【００２６】
本発明の集球モジュールを備えるボール収集装置は、ストッパー接続モジュール３０を含むことができる。ストッパー接続モジュール３０は少なくとも一つの接続ユニット３１及び少なくとも一つのストッパーモジュール３２を含む。接続ユニット３１は収集コンポーネント１０の片側に設置され、ストッパーモジュール３２の一端は接続ユニット３１に接続され、ストッパーモジュール３２の他端は選択的に平面に支えられる。また、本発明の集球モジュールを備えるボール収集装置は、接続ユニット３１に接続される制御モジュール４０を含む。使用者は制御モジュール４０を通じてボール収集装置の集球方向を決定することができる。本明細書の図面において、接続ユニット３１の数は二つを例としており、この二つの接続ユニット３１は収集コンポーネント１０の回転軸Ｘ上の位置かつ収集コンポーネント１０の相対する両側にそれぞれ設けられ、ストッパーモジュール３２及び制御モジュール４０の両端はこの二つの接続ユニット３１にそれぞれ接続され、ボール収集装置を使用しないときはストッパーモジュール３２がしっかりと平面Ｐに接触し、ボール収集装置は立った状態となる（図５参照）。接続ユニット３１及びストッパーモジュール３２の数はこれに限られず、使用者は実際の需要により調整することができる。
【００２７】
集球モジュール２０の数は例えば二つとすることができ、集球モジュール２０は収集コンポーネント１０の相対する両側にそれぞれ枢支接続する。また、集球モジュール２０は少なくとも一つの第一集球ユニット２１及び第二集球ユニット２２を含むことができる。第一集球ユニット２１はストッパーモジュール３２に取外し可能な形で枢支接続し、第二集球ユニット２２は第一集球ユニット２１に枢支接続する。第一集球ユニット２１は回転軸Ｘに対し垂直であることができ、第二集球ユニット２２は回転軸Ｘと夾角θをなす（図３参照）。
【００２８】
図２及び図４に示すように、第一集球ユニット２１はベアリング７０によりストッパーモジュール３２に枢支接続することができ、第二集球ユニット２２もベアリング７２により第一集球ユニット２１に枢支接続することができる。ベアリング７０及びベアリング７２により、第一集球ユニット２１とストッパーモジュール３２の間の摩擦力、第二集球ユニット２２と第一集球ユニット２１の間の摩擦力を減少させることができ、転動度が高まる。さらに、第一集球ユニット２１は例えばＣの形をした取外し可能な形でストッパーモジュール３２に枢支接続することができる。なお、第一集球ユニット２１及び第二集球ユニット２２の枢支接続方法は上記の方法に限らない。
【００２９】
本発明の集球モジュールを備えるボール収集装置は、第二集球ユニット２２の両端に設置された複数のローラー５１、５２を含むことができる。ボール収集装置が球類を収集する際に、不変距離がローラー５１、５２の半径ｒとなる（図５参照）。ボール収集装置の第二集球ユニット２２はスプリング又は自身の重力に基づき平面Ｐと不変距離を保つことができるため、ローラー５１、５２と平面Ｐが接触し、球８０は第二集球ユニット２２と平面Ｐの隙間から落ちてしまうことはない。
【００３０】
図６は本発明の集球モジュールを備えるボール収集装置を使用する際の概略図である。本発明のボール収集装置が球類を収集する際に、集球モジュール２０と平面Ｐは不変距離を保つ。身長の異なる使用者が本発明の集球モジュールを備えるボール収集装置を使用し球類を収集したとしても、集球モジュール２０の第二集球ユニット２２は平面Ｐと不変距離を保つことができる。従って、本発明のボール収集装置は異なる身長の使用者による使用にも適している。また、図６に示すように、使用者がボール収集装置を押しながら球類を収集する際も、第二集球ユニット２２は平面Ｐと不変距離を保つことができる。よって、本発明のボール収集装置は異なる集球習慣を持つ使用者による使用にも適している。
【００３１】
図７は本発明の集球モジュールを備えるボール収集装置の第二実施例の側面図である。本発明のボール収集装置の第二実施例において、第一カバー１２の片側、第二カバー１３の片側及び環状体１４の両側の周縁に緩衝材６０が設けられ、この緩衝材６０は回転軸Ｘに対し平行方向となっている。ここで緩衝材６０の材質はゴム、シリカゲル、プラスチック等の可撓性を有するものであることができる。集めたい球８０が収集コンポーネント１０に接触したときに、緩衝材６０は回転により生じる下向きの圧力により変形し、球８０が第一カバー１２と環状体１４の間の収容空間、二つの環状体１４の間の収容空間、又は第二カバー１３と環状体１４の間の収容空間へ入る。また、お互いに相対する二つの環状体１４の間の隙間は球８０の直径より小さいため、収容空間にある球８０が収集コンポーネント１０から落ちることを防ぐことができる。
【００３２】
以上の通り、本発明の集球モジュールを備えるボール収集装置では、集球効率、集球及び球の取り出しの利便性を向上させ、異なる身長及び使用習慣を持つ使用者に適する。
【００３３】
ここで使用した用語及び上記の説明は、本発明の実施形態を説明するためのものであるが、本発明はこれに限定されない。本発明で開示された特殊事項のいかなる均等物も排除されるべきではない。また、本発明の請求範囲の各種変形も受け入れられると理解されなければならない。
【符号の説明】
【００３４】
１０：収集コンポーネント
１１：桿体
１２：第一カバー
１３：第二カバー
１４：環状体
１５：刳り抜き部
２０：集球モジュール
２１：第一集球ユニット
２２：第二集球ユニット
３０：ストッパー接続モジュール
３１：接続ユニット
３２：ストッパーモジュール
４０：制御モジュール
５１，５２：ローラー
６０：緩衝材
７０．７２：ベアリング
Ａ、Ｂ：区域
Ｘ：回転軸
θ：夾角
Ｐ：平面
８０：球
ｒ：半径
【図１】
0006271627.tif 000002
【図２】
0006271627.tif 000003
【図３】
0006271627.tif 000004
【図４】
0006271627.tif 000005
【図５】
0006271627.tif 000006
【図６】
0006271627.tif 000007
【図７】
0006271627.tif 000008